(57)【要約】【課題】  自動ＰＳＴＮバックアップ機能を備えたＶｏＩＰ端末を提供する。【解決手段】  電話端末とＶｏＩＰ網との間で信号を送受信するＶｏＩＰ端末において、  電話端末から伝送される要請信号と、ＰＳＴＮと連結された回線の通話状態によりモード変更信号を伝送するモード設定部と、この回線の通話状態を検知して通話終了検知信号を伝送し、前記モード設定部から伝送されるダイヤル制御信号に基づいて通話要請信号を前記ＰＳＴＮに伝送するＰＳＴＮ回路部と、前記モード設定部から伝送されるモード変更信号に基づいて、前記音声処理部を回線インターフェース部又はＰＳＴＮ回路部の一方と連結する第１のスイッチング部と、前記モード設定部から伝送されるモード変更信号に基づいて前記電話端末と連結される回線を回線インターフェース部又は前記ＰＳＴＮの一方と連結する第２のスイッチング部と、を含む構成とする。【選択図】  図３
2005218120.tif 000002
【特許請求の範囲】
【請求項１】
電話端末が連結される回線をインタフェーシングする回線インターフェース部と、
前記回線インターフェース部を介して連結される前記電話端末及びＶｏＩＰ網の間で送受信される信号を処理する音声処理部と、
前記電話端末から伝送される要請信号と、ＰＳＴＮと連結された回線の通話状態によりモード変更信号を伝送し、さらに前記要請信号の方式に応じた通話要請信号を生成するためのダイヤル制御信号を伝送するモード設定部と、
ＰＳＴＮと連結される回線の通話状態を検知して通話終了検知信号を伝送し、前記モード設定部から伝送されるダイヤル制御信号に基づいて通話要請信号を生成すると共にこの通話要請信号を前記ＰＳＴＮに伝送するＰＳＴＮ回路部と、
前記モード設定部から伝送されるモード変更信号に基づいて、前記音声処理部を回線インターフェース部又はＰＳＴＮ回路部の一方と連結する第１のスイッチング部と、
前記モード設定部から伝送されるモード変更信号に基づいて前記電話端末と連結される回線を回線インターフェース部又は前記ＰＳＴＮの一方と連結する第２のスイッチング部と、を含むこと
を特徴とするＶｏＩＰ端末。
【請求項２】
電話回線を介して前記電話端末を前記回線インターフェース部又はＰＳＴＮと連結するポート部と、
前記電話端末又はＶｏＩＰ網から伝送される信号から規則的な信号を抽出する信号処理部と、をさらに含むこと
を特徴とする請求項１記載のＶｏＩＰ端末。
【請求項３】
前記モード設定部は、前記電話端末から要請信号が受信される時間に基づいて、その要請信号の方式が機械式要請信号であるか又は電子式要請信号であるかを判定し、判定した方式に従うダイヤル制御信号を生成すること
を特徴とする請求項１記載のＶｏＩＰ端末。
【請求項４】
前記ＰＳＴＮ回路部は、前記ダイヤル制御信号によって前記ＰＳＴＮを介して電話局と連結される回線の接続状態をオン又はオフにすることにより、電話局が検知可能な通話要請信号を生成する第３のスイッチング部を含むこと
を特徴とする請求項１記載のＶｏＩＰ端末。
【請求項５】
前記モード設定部は、前記電話端末から要請信号が伝送される場合には、前記第１のスイッチング部を制御するスイッチング制御信号を生成し、前記ＰＳＴＮ回路部にこのダイヤル制御信号を伝送した後に、前記第２のスイッチング部を制御するスイッチング制御信号を生成して伝送すること
を特徴とする請求項１記載のＶｏＩＰ端末。
【請求項６】
前記モード設定部は、前記ＰＳＴＮ回路部から通話終了検知信号が伝送される場合には、前記電話端末から伝送された要請信号が緊急通話要請信号であるか否かを判定し、緊急通話要請信号である場合は前記回線の通話終了状態を所定時間の間に保留すること
を特徴とする請求項１記載のＶｏＩＰ端末。
【請求項７】
前記音声処理部は、前記ＶｏＩＰ網から伝送されるデジタル信号をアナログ信号に変換し、前記回線インターフェース部を介して前記電話端末に伝送すること
を特徴とする請求項１記載のＶｏＩＰ端末。
【請求項８】
前記モード設定部は、前記電話端末が前記ポート部を介して連結されている場合には、前記電話端末をＶｏＩＰ網に連結するための第１のスイッチング制御信号を第１及び第２のスイッチング部に伝送し、前記電話端末からモード選択信号が伝送されたときには、前記電話端末を前記ＰＳＴＮに連結する第２のスイッチング制御信号を第１及び第２のスイッチング部に伝送すること
を特徴とする請求項１記載のＶｏＩＰ端末。
【請求項９】
前記第１のスイッチング部は、前記モード設定部から前記第１のスイッチング制御信号が伝送される場合には、前記音声処理部を前記回線インターフェース部に連結し、前記モード設定部から前記第２のスイッチング制御信号が伝送される場合には、前記音声処理部を前記ＰＳＴＮ回路部に連結すること
を特徴とする請求項８記載のＶｏＩＰ端末。
【請求項１０】
前記第１及び第２のスイッチング部は、リレースイッチであること
を特徴とする請求項１記載のＶｏＩＰ端末。
【請求項１１】
前記モード設定部は、前記電話端末からモード選択信号が伝送されて前記電話端末をＶｏＩＰ網と連結した状態において、前記ＰＳＴＮ回路部から通話検出信号が伝送される場合には、前記第１のスイッチング制御信号を伝送して前記電話端末と前記ＰＳＴＮとを連結すること
を特徴とする請求項８記載のＶｏＩＰ端末。
【請求項１２】
電話端末が連結される回線をインタフェーシングする回線インターフェース部と、
前記回線インターフェース部を介して連結される前記電話端末から伝送されるアナログ信号をデジタル信号に変換処理する音声処理部と、
ＰＳＴＮと連結される回線の通話状態に基づいて通話終了感知信号を伝送すると共に、前記ＰＳＴＮから伝送されるリングトーン信号を検出してリングトーン検出信号を伝送するＰＳＴＮ回路部と、
前記ＰＳＴＮ回路部から伝送されたリングトーン検出信号を受信した場合は、前記ＰＳＴＮと前記電話端末とを連結するＰＳＴＮモードに変更するためのスイッチング制御信号を伝送し、前記通話終了検知信号を受信した場合は、前記ＶｏＩＰと前記電話端末とを連結するＶｏＩＰモードに変更するためのスイッチング制御信号を伝送するモード設定部と、
前記モード設定部から伝送されるＰＳＴＮモードに変更するためのスイッチング制御信号に基づいて前記音声処理部をＰＳＴＮ回路部に連結し、ＶｏＩＰモードに変更するためのスイッチング制御信号によって前記音声制御部を前記回線インターフェース部に連結する第１のスイッチング部と、
前記モード設定部から伝送されるＰＳＴＮモードに変更するためのスイッチング制御信号に基づいて前記電話端末を前記ＰＳＴＮに連結して前記リングトーン信号を前記電話端末に伝送されるようにし、さらに、前記ＶｏＩＰモードに変更するためのスイッチング制御信号によって前記電話端末を前記回線インターフェース部に連結する第２のスイッチング部と、を含むこと
を特徴とするＶｏＩＰ端末。
【請求項１３】
電話回線を介して前記電話端末を前記回線インターフェース部又はＰＳＴＮと連結するポート部と、
前記電話端末又はＶｏＩＰ網から伝送される信号から規則的な信号を抽出する信号処理部と、をさらに含むこと
を特徴とする請求項１２記載のＶｏＩＰ端末。
【請求項１４】
電話回線を介して連結される電話端末をＶｏＩＰ網に連結するステップと、
前記電話端末から伝送される、加入者が選択した電話番号情報を含む通話要請信号をＰＳＴＮを介して電話局に伝送するステップと、
前記通話要請信号を電話局に伝送し、前記電話端末をＰＳＴＮを介して電話局に呼接続するステップと、
前記電話端末がＰＳＴＮを介して音声信号を交換する呼接続が設定されると、前記呼接続の通話状態を検知するステップと、
前記通話状態が通話終了状態になれば、前記電話端末を前記ＶｏＩＰ網に連結するステップと、を含むこと
を特徴とするＶｏＩＰ端末の呼バックアップ方法。
【請求項１５】
前記電話端末がＶｏＩＰ網に連結された状態において、前記ＰＳＴＮを介してリングトーン信号が受信されるか否かを検知するステップと、
前記リングトーン信号が検知されると、前記電話端末を前記ＰＳＴＮに連結して前記リングトーン信号を受信するステップと、をさらに含むこと
を特徴とする請求項１４記載のＶｏＩＰ端末の呼バックアップ方法。
【請求項１６】
前記電話端末に設定された呼接続の状態が通話終了状態になれば、前記電話端末から伝送された通話要請信号に含まれた電話番号情報が緊急通話番号情報であるか否かを判定するステップと、
前記電話番号情報が緊急通話番号情報であると判定した場合には、前記電話端末の通話終了状態を所定時間の間に保留するステップと、をさらに含むこと
を特徴とする請求項１４記載のＶｏＩＰ端末の呼バックアップ方法。
【請求項１７】
前記通話要請信号を伝送するステップは、前記電話端末から伝送される通話要請信号が機械式信号であるか又は電子式信号であるかを判定して、
機械式信号であると判定した場合は、前記ＰＳＴＮと連結される通話回線の連結を制御して通話要請信号を伝送するステップと、
電子式信号であると判定した場合は、ＤＴＭＦ方式の通話要請信号を伝送するステップを含むこと
を特徴とする請求項１４記載のＶｏＩＰ端末の呼バックアップ方法。
【請求項１８】
少なくとも一つ以上のスイッチング部及び回線状態検知部を備えるＶｏＩＰ端末が電話端末の呼バックアップをする方法であって、
前記電話端末をＶｏＩＰ網と連結されるＶｏＩＰモードに設定するステップと、
前記ＶｏＩＰモードに設定された状態において、前記ＰＳＴＮからリングトーン信号が伝送される場合には、前記回線状態検知部がリングトーン検出信号を伝送するステップと、
前記リングトーン検出信号が伝送されると、前記電話端末が前記ＰＳＴＮと連結されるＰＳＴＮモードに設定するステップと、を含むこと
を特徴とするＶｏＩＰ端末の呼バックアップ方法。
【請求項１９】
前記電話端末が前記ＰＳＴＮに伝送されるリングトーン信号についての応答として前記ＰＳＴＮを介して電話端末と発信電話端末との間で呼接続させるステップと、
前記ＰＳＴＮモードに設定された状態において、前記回線状態検知部が前記回線の通話状態に基づいて通話終了検知信号を伝送するステップと、
前記回線状態検知部から通話終了検知信号が伝送される場合には、前記ＰＳＴＮモードを解除してＶｏＩＰモードを設定するステップと、を含むこと
を特徴とする請求項１８記載のＶｏＩＰ端末の呼バックアップ方法。
【請求項２０】
少なくとも一つ以上のスイッチング部を備えるＶｏＩＰ端末が電話端末の呼バックアップをする方法であって、
前記電話端末をＶｏＩＰ網と連結させるＶｏＩＰモードを設定するステップと、
前記電話端末から通話要請信号が伝送される場合には、前記通話要請信号を前記ＰＳＴＮに伝送するステップと、
前記電話端末をＰＳＴＮと連結させるＰＳＴＮモードを設定し、前記電話端末とＰＳＴＮとが連結される回線の通話状態を検知するステップと、
前記回線の通話状態が通話終了状態であると検知した場合は、前記ＰＳＴＮモードを解除してＶｏＩＰモードに設定するステップと、を含むこと
を特徴とするＶｏＩＰ端末の呼バックアップ方法。
【発明の詳細な説明】
【技術分野】
【０００１】
本発明は、ＶｏＩＰ端末及びＶｏＩＰ端末の呼バックアップ方法に関し、より詳しくは、ＶｏＩＰ網と連結されるＶｏＩＰ端末に提供するＰＳＴＮバックアップ機能を向上させて、使用者により一層良いサービスを提供することのできるＶｏＩＰ端末及びＶｏＩＰ端末の呼バックアップ方法に関する。
【背景技術】
【０００２】
先ず、ＰＳＴＮバックアップ機能を提供するＶｏＩＰ網（ＶｏＩＰネットワーク）の一般的な構成について説明しておく。図１は、ＰＳＴＮバックアップ機能を提供するＶｏＩＰ網の一般的な構成を示す全体ブロック図である。
【０００３】
図１を参照すると、ＰＳＴＮバックアップ機能を提供するＶｏＩＰ網は、コールサーバー(call server)１０と、ＯＳＳ(Operation Support Server)３０と、ルータ４０と、超高速インターネット加入者端末装置５０と、超高速インターネット加入者装置６０と、ＶｏＩＰ端末９０と、電話機又はファクシミリ(以下、単に「電話機」と称する)９１と、を含む。
【０００４】
ＶｏＩＰ端末９０は、超高速インターネット加入者装置６０に内蔵されるか又は別個独立した形態で構成することができる。
【０００５】
コールサーバー１０は、ＶｏＩＰ網２０を介して交換されるシグナルリングメッセージを処理し、端末間におけるＶｏＩＰによる音声通話のための呼接続を行なう。
【０００６】
ルータ４０は、ＶｏＩＰ端末９０又はＶｏＩＰ網２０から伝送されてくるパケットの目的地（宛先）をルーティングし、そのルーティング結果に基づいて前記受信したパケットを伝送する。
【０００７】
ＯＳＳ３０は、ＤＨＣＰ(Dynamic Host Configuration Protocol)に従ってＶｏＩＰ端末９０がＶｏＩＰ網２０と連結する際に使用するＩＰアドレスを割り当て、またＤＮＳ(domain name system)によりＶｏＩＰ網２０内で対応するＶｏＩＰ端末９０が識別できるドメイン名を割り当てる。
【０００８】
そして、ＯＳＳ３０は、ＳＮＭＰ(Simple Network Management Protocol)に従ってＶｏＩＰ網２０及び当該ＶｏＩＰ網２０に接続される全ての端末又は装置を管理し、ＴＦＴＰ(Trivial File Transfer Protocol)に従って設定ファイル(configuration file)をダウンロードする。
【０００９】
超高速インターネット加入者端末装置５０は、ＩＰデータパケットをケーブルデータに、またケーブルデータをＩＰデータパケットに変更（変換）する役割が割り当てられている。
【００１０】
即ち、超高速インターネット加入者端末装置５０は、ルータ４０を介してＶｏＩＰ網２０から伝送されてくるＩＰデータパケットをケーブルデータ又は電話回線データに変更して超高速インターネット加入者装置６０に伝送する。そして、超高速インターネット加入者端末装置５０は、ケーブルを介してＶｏＩＰ端末９０から伝送されてくるケーブルデータをＩＰデータパケットに変更してルータ４０に伝送する。
【００１１】
このような超高速インターネット加入者端末装置５０は、ＣＭＴＳ(cable modem termination system)又はＤＳＬＡＭ(Digital Subscriber Line Access Multiplexer)などを含むことができる。
【００１２】
超高速インターネット加入者装置６０は、ケーブルを介して前記超高速インターネット加入者端末装置５０から伝送されてくるケーブルデータをＩＰデータパケットに変更してＶｏＩＰ端末９０に伝送する。
【００１３】
超高速インターネット加入者装置６０は、内蔵又は別個独立した外付け形態でＶｏＩＰ端末９０を含むことができる。ＶｏＩＰ端末９０は、使用者の選択に従って電話機９１を直接ＰＳＴＮ７０と連結させて、電話局（交換局）８０に呼を設定する。
【００１４】
ここで、ＶｏＩＰ端末９０が電話機９１を直接ＰＳＴＮ７０と連結させる機能を、ＰＳＴＮバックアップ機能と言う。
【００１５】
即ち、ＶｏＩＰ端末９０は、使用者の選択に従って電話機９１をＶｏＩＰ網２０と連結させてＶｏＩＰサービスを提供するか、又はＰＳＴＮ７０と連結させて情報メッセージサービス(例えば、天気、時間など)又は緊急通話サービス(例えば、火事通報、犯罪通報など)を提供する。
【００１６】
図２は、ＶｏＩＰ網においてＶｏＩＰ端末がＰＳＴＮバックアップ機能を提供する方法について説明するためのフローチャートである。
【００１７】
図２を参照すると、まず、ＶｏＩＰ端末９０と連結される電話機９１をＶｏＩＰモードに設定する(ステップＳ１)。
【００１８】
次に、ＶｏＩＰ端末９０は、使用者が電話機９１に設定された特定ボタンを選択することによる当該電話機９１からのモード選択信号が受信されるか否かを判定する(ステップＳ２)。
【００１９】
ここで、前記特定選択ボタンは、ＶｏＩＰ端末９０がＶｏＩＰ網２０に接続している際にＯＳＳ３０からダウンロードされる設定ファイル(configuration file)により定義される。
【００２０】
ステップＳ２における判定の結果、ＶｏＩＰ端末９０は電話機９１からモード選択信号を受信した場合、ＰＳＴＮ７０を介して電話機９１を直接電話局８０と連結するために、ＶｏＩＰ端末９０はリレースイッチを動作させてＰＳＴＮモードに設定する(ステップＳ３)。
【００２１】
次に、電話局８０は、電話機９１から使用者の選択に従う電話番号信号（着信号）が伝送されるか否かを判定する(ステップＳ４)。そして、電話番号信号が受信された場合には、着信側電話端末(図示せず)を識別し、この着信側電話端末と、ＶｏＩＰ端末９０に連結された前記電話機９１との間の音声通話のための呼(call)を接続する(ステップＳ５)。
【００２２】
その後、ＶｏＩＰ端末９０は、電話機９１又は着信側電話端末がフックオンの状態（つまり回線がつながっていない状態）になったか否かを判定して(ステップＳ６)、フックオン状態にあれば、ＶｏＩＰ端末９０は、電話機９１がＶｏＩＰ網２０と連結されるＶｏＩＰモードを設定する(ステップＳ７)。
【００２３】
しかしながら、上述のＶｏＩＰ端末９０がＰＳＴＮバックアップ機能を提供する手法は、次のような問題点がある。
【００２４】
第１の問題点として、使用者は、ＶｏＩＰ端末９０と連結された電話機９１を介して、電話局８０から情報メッセージサービス及び緊急通話サービスの自動的な提供を受けることができない。
【００２５】
即ち、ＶｏＩＰ端末９０は、使用者が前記特定ボタンを選択することに従って電話機９１からモード選択信号が送られてきたときのみ、リレースイッチを操作して電話機９１と電話局８０とを連結する。
【００２６】
そして、ＶｏＩＰ端末９０が電話機９１と電話局８０とを連結すると、電話局８０は電話機９１がフックオフされたことを認識して、つまり回線がつながったと認識して、ダイヤルトーン(dial tone)を伝送するようになる。
【００２７】
したがって、使用者は電話局８０から伝送されるダイヤルトーンを聞き取って、さらに情報メッセージサービス又は緊急通話サービスを要請するために、電話機９１のボタンを選択して電話局８０に要請信号を再伝送しなければならないという煩わしさがある。
【００２８】
第２の問題点として、使用者が緊急通話サービスを要請して緊急通話をしている最中に予期せぬ問題が発生して強制的にフックオンされる場合、所定時間内はフックオン状態を保留にする機能を提供していない。
【００２９】
具体的には、使用者が緊急通話をしているとき、例えば犯罪通報をしている最中に、使用者が予期せぬ事情により強制的にフックオンしても、所定時間内はＶｏＩＰ端末９０はフックオン状態を保留にして電話局側又は着信側で使用者の状態を把握できるようにしなければならないが、上述の方式ではこれが全く考慮されていなかった。即ち、フックオンを保留する機能を備えていない。
【００３０】
第３の問題として、ＶｏＩＰ端末９０は、電話機９１とＶｏＩＰ網２０とを連結させるＶｏＩＰモードを設定しているときに、電話局８０からリングトーン信号、即ち、呼び出し信号が伝送されてもこの信号を検出することができない。
【００３１】
即ち、ＶｏＩＰ端末９０がＶｏＩＰモードを設定しているうちは、ＰＳＴＮラインを使用することができない。
【００３２】
第４の問題として、ＶｏＩＰ端末９０が使用者の選択に従って電話機９１をＰＳＴＮ７０と連結させるＰＳＴＮモードにおいては、電話機９１の使用状態、つまり電話機９１がフックオンの状態であるか、又はフックオフの状態であるかを検知することができない。
【発明の開示】
【発明が解決しようとする課題】
【００３３】
本発明は上述したような従来技術の問題点を解決するためになされたものであり、その目的は、ＶｏＩＰ網に接続するＶｏＩＰ端末が自動ＰＳＴＮバックアップ機能を備えたことにより、例えば緊急通話の最中に強制的にフックオンされた場合であっても所定時間内はフックオン状態を保留にし、また、ＶｏＩＰ端末に連結された電話機がＶｏＩＰ網と連結されている状態においてもＰＳＴＮから伝送されるリングトーン信号を検出することのできる呼バックアップ機能を備えたＶｏＩＰ端末、及びＶｏＩＰ端末の呼バックアップ方法を提供することにある。
【００３４】
本発明の他の目的は、ＶｏＩＰ端末がＰＳＴＮと連結された状態でＶｏＩＰ端末のフック状態（フックオン／フックオフ）を検知して、フックオン状態であれば自動的にＶｏＩＰ網と連結させることができるＶｏＩＰ端末及びＶｏＩＰ端末の呼バックアップ方法を提供することにある。
【課題を解決するための手段】
【００３５】
前記目的を達成するための本発明の一側面によるＶｏＩＰ端末は、電話端末が連結される回線をインタフェーシングする回線インターフェース部と、前記回線インターフェース部を介して連結される前記電話端末及びＶｏＩＰ網の間で送受信される信号を処理する音声処理部と、前記電話端末から伝送される要請信号と、ＰＳＴＮと連結された回線の通話状態によりモード変更信号を伝送し、さらに前記要請信号の方式に応じた通話要請信号を生成するためのダイヤル制御信号を伝送するモード設定部と、ＰＳＴＮと連結される回線の通話状態を検知して通話終了検知信号を伝送し、前記モード設定部から伝送されるダイヤル制御信号に基づいて通話要請信号を生成すると共にこの通話要請信号を前記ＰＳＴＮに伝送するＰＳＴＮ回路部と、前記モード設定部から伝送されるモード変更信号に基づいて、前記音声処理部を回線インターフェース部又はＰＳＴＮ回路部の一方と連結する第１のスイッチング部と、前記モード設定部から伝送されるモード変更信号に基づいて前記電話端末と連結される回線を回線インターフェース部又は前記ＰＳＴＮの一方と連結する第２のスイッチング部と、を含むことを特徴とする。
【００３６】
また、ＶｏＩＰ端末は、電話回線を介して前記電話端末を前記回線インターフェース部又はＰＳＴＮと連結するポート部と、前記電話端末又はＶｏＩＰ網から伝送される信号から規則的な信号を抽出する信号処理部と、をさらに含むことができる。
【００３７】
一方、本発明の他の側面によるＶｏＩＰ端末は、電話端末が連結される回線をインタフェーシングする回線インターフェース部と、前記回線インターフェース部を介して連結される前記電話端末から伝送されるアナログ信号をデジタル信号に変換処理する音声処理部と、ＰＳＴＮと連結される回線の通話状態に基づいて通話終了感知信号を伝送すると共に、前記ＰＳＴＮから伝送されるリングトーン信号を検出してリングトーン検出信号を伝送するＰＳＴＮ回路部と、前記ＰＳＴＮ回路部から伝送されたリングトーン検出信号を受信した場合は、前記ＰＳＴＮと前記電話端末とを連結するＰＳＴＮモードに変更するためのスイッチング制御信号を伝送し、前記通話終了検知信号を受信した場合は、前記ＶｏＩＰと前記電話端末とを連結するＶｏＩＰモードに変更するためのスイッチング制御信号を伝送するモード設定部と、前記モード設定部から伝送されるＰＳＴＮモードに変更するためのスイッチング制御信号に基づいて前記音声処理部をＰＳＴＮ回路部に連結し、ＶｏＩＰモードに変更するためのスイッチング制御信号によって前記音声制御部を前記回線インターフェース部に連結する第１のスイッチング部と、前記モード設定部から伝送されるＰＳＴＮモードに変更するためのスイッチング制御信号に基づいて前記電話端末を前記ＰＳＴＮに連結して前記リングトーン信号を前記電話端末に伝送されるようにし、さらに、前記ＶｏＩＰモードに変更するためのスイッチング制御信号によって前記電話端末を前記回線インターフェース部に連結する第２のスイッチング部と、を含むことを特徴とする。
【００３８】
また、本発明の一側面によるＶｏＩＰ端末の呼バックアップ提供方法は、電話回線を介して連結される電話端末をＶｏＩＰ網に連結するステップと、前記電話端末から伝送される、加入者が選択した電話番号情報を含む通話要請信号をＰＳＴＮを介して電話局に伝送するステップと、前記通話要請信号を電話局に伝送し、前記電話端末をＰＳＴＮを介して電話局に呼接続するステップと、前記電話端末がＰＳＴＮを介して音声信号を交換する呼接続が設定されると、前記呼接続の通話状態を検知するステップと、前記通話状態が通話終了状態になれば、前記電話端末を前記ＶｏＩＰ網に連結するステップと、を含むことを特徴とする。
【００３９】
また、前記電話端末がＶｏＩＰ網に連結された状態において、前記ＰＳＴＮを介してリングトーン信号が受信されるか否かを検知するステップと、前記リングトーン信号が検知されると、前記電話端末を前記ＰＳＴＮに連結して前記リングトーン信号を受信するステップと、をさらに含むことができる。
【００４０】
また、前記電話端末に設定された呼接続の状態が通話終了状態になれば、前記電話端末から伝送された通話要請信号に含まれた電話番号情報が緊急通話番号情報であるか否かを判定するステップと、前記電話番号情報が緊急通話番号情報であると判定した場合には、前記電話端末の通話終了状態を所定時間の間に保留するステップと、をさらに含むことができる。
【００４１】
また、前記通話要請信号を伝送するステップは、前記電話端末から伝送される通話要請信号が機械式信号であるか又は電子式信号であるかを判定して、機械式信号であると判定した場合は、前記ＰＳＴＮと連結される通話回線の連結を制御して通話要請信号を伝送するステップと、電子式信号であると判定した場合は、ＤＴＭＦ方式の通話要請信号を伝送するステップを含むことができる。
【００４２】
一方、本発明の他の側面によるＶｏＩＰ端末の呼バックアップ提供方法は、少なくとも一つ以上のスイッチング部及び回線状態検知部を備えるＶｏＩＰ端末が電話端末に呼バックアップを提供する方法であって、前記電話端末をＶｏＩＰ網と連結されるＶｏＩＰモードに設定するステップと、前記ＶｏＩＰモードに設定された状態において、前記ＰＳＴＮからリングトーン信号が伝送される場合には、前記回線状態検知部がリングトーン検出信号を伝送するステップと、前記リングトーン検出信号が伝送されると、前記電話端末が前記ＰＳＴＮと連結されるＰＳＴＮモードに設定するステップと、を含むことを特徴とする。
【００４３】
また、前記電話端末が前記ＰＳＴＮに伝送されるリングトーン信号についての応答として前記ＰＳＴＮを介して電話端末と発信電話端末との間で呼接続させるステップと、前記ＰＳＴＮモードに設定された状態において、前記回線状態検知部が前記回線の通話状態に基づいて通話終了検知信号を伝送するステップと、前記回線状態検知部から通話終了検知信号が伝送される場合には、前記ＰＳＴＮモードを解除してＶｏＩＰモードを設定するステップと、を含むことができる。
【００４４】
一方、本発明のまた他の側面によるＶｏＩＰ端末の呼バックアップ提供方法は、少なくとも一つ以上のスイッチング部を備えるＶｏＩＰ端末が電話端末に呼バックアップを提供する方法であって、前記電話端末をＶｏＩＰ網と連結させるＶｏＩＰモードを設定するステップと、前記電話端末から通話要請信号が伝送される場合には、前記通話要請信号を前記ＰＳＴＮに伝送するステップと、前記電話端末をＰＳＴＮと連結させるＰＳＴＮモードを設定し、前記電話端末とＰＳＴＮとが連結される回線の通話状態を検知するステップと、前記回線の通話状態が通話終了状態であると検知した場合は、前記ＰＳＴＮモードを解除してＶｏＩＰモードに設定するステップと、を含むことを特徴とする。
【発明の効果】
【００４５】
本発明によれば、ＶｏＩＰ端末と連結される電話端末がＰＳＴＮを介して電話局から自動的に情報通知サービス及び緊急通話サービスの提供を受けることができる。その結果、情報通知サービス及び緊急通話サービスの提供を受けるために使用者の操作が省略されている分において、使用者の手間が少なく負担が少ない。
【００４６】
また、ＶｏＩＰ端末と連結される電話端末が緊急通話をしている最中に使用者又はＶｏＩＰ端末の予期せぬ問題により強制的に回線がフックオンされた場合であっても、所定時間の間にフックオンを保留することができる。このため、緊急通話が途中で途切れたとしても、通信者の状態を把握することができる。
【００４７】
ＶｏＩＰ端末と連結される電話端末がＶｏＩＰ網と連結されている状態であっても、電話局から伝送されるリングトーン信号を検出してＰＳＴＮを介して呼接続することができる。
【００４８】
ＶｏＩＰ端末と連結される電話端末がＰＳＴＮに連結された状態において、ＶｏＩＰ端末のフックオン状態を検知して、フックオン状態になれば自動的にＶｏＩＰ網と連結させることができる。
【発明を実施するための最良の形態】
【００４９】
以下、本発明の好ましい実施形態について、添付図面を参照しながら説明する。ただし、以下においては、ＰＳＴＮバックアップ機能を提供するＶｏＩＰ端末の一例として、「ＤＳＰ(digital signal processing)−ＳＬＡＣ(Subscriber Line Audio-processing Circuits: 加入者音声処理回路)−ＳＬＩＣ(Subscriber Line Interface Circuits: 加入者回線インターフェース回路)」の構成を備えたＶｏＩＰ端末を一例に挙げて説明し、また汎用ＤＳＰチップに設けられた５個のＧＰＩＯ(General Purpose Input/Output)ポートと、別にスイッチを使う場合について説明するが、これに限定されることはなく、例えばＭＴＡ(Multi Media Adapter)又はＥ−ＭＴＡ(Embedded-Multi Media Adapter)などの装置を用いてＰＳＴＮバックアップ機能を提供する場合もこれと同一である。
【００５０】
以下、本発明の好ましい実施形態による呼バックアップ機能を備えたＶｏＩＰ端末及びＶｏＩＰ端末の呼バックアップ方法について詳細に説明する。
【００５１】
図３は、本発明の好ましい実施形態による自動ＰＳＴＮバックアップ機能を備えたシステムの構成を説明するためのブロック図である。
【００５２】
図３を参照すると、本実施形態によるＰＳＴＮバックアップ機能を備えた装置、即ち、ＶｏＩＰ端末１００は、ＤＳＰ処理部１１０と、音声処理部１２０と、加入者回線インターフェース部１３０と、ポート部１４０と、ＰＳＴＮ回路部１６０と、多数のＧＰＩＯポート（♯１〜♯２)１５１〜１５５と、を含む構成である。
【００５３】
ＧＰＩＯポート（♯１〜♯２)１５１〜１５５は、例えば汎用ＤＳＰチップに備えられるものであり、前記ＤＳＰ処理部１１０が制御信号を伝送するか、感知信号(sensing signal)又は検出信号(detection signal)を受信するためのポートである。
【００５４】
即ち、ＧＰＩＯ(＃１)１５１は、ＤＳＰ処理部１１０がスイッチング制御信号（切換制御信号）を第１のスイッチング部１７１に伝送するためのポートであり、ＧＰＩＯ(＃２)１５２は、ＤＳＰ処理部１１０がスイッチング制御信号を第２のスイッチング部１７２に伝送するためのポートであり、ＧＰＩＯ(＃３)１５３は、ＤＳＰ処理部１１０がスイッチング制御信号をＰＳＴＮ回路部１６０に含まれる第３のスイッチング部１７３に伝送するためのポートである。
【００５５】
そして、ＧＰＩＯ(＃４)１５４は、電話機９１、９２のフック状態（フックオフ／フックオン）についての検知信号をＤＳＰ処理部１１０がＰＳＴＮ回路部１６０から受信するためのポートであり、ＧＰＩＯ(＃５)１５５は、リングトーン検出信号をＤＳＰ処理部１１０がＰＳＴＮ回路部１６０から受信するためのポートである。
【００５６】
そして、ポート部１４０は、チップ(Tip)ラインとリング(Ring)ラインを含む電話ラインを介して電話機９１、９２と電話局８０とを連結する。
【００５７】
ポート部１４０は、多数のモジュラジャックとしての多数のＲＪ(registered jack)−１１により構成することができる。
【００５８】
このような構成において、一例として、ＲＪ−１１(＃１)１４１に連結される電話機９２はＶｏＩＰ専用端末であり、ＲＪ−１１(＃２)１４２に連結される電話機９１はＶｏＩＰ網７０と連結してＶｏＩＰサービスを利用すると共にＰＳＴＮ７０を介して電話局８０と連結してＰＳＴＮサービスを利用する兼用端末であり、さらに、ＰＳＴＮ７０を介してＲＪ−１１(＃３)１４３と電話局８０とが連結されるているとする。
【００５９】
ここで、電話機９１は、加入者の選択に従う選択信号を提供する。
【００６０】
加入者回線インターフェース部１３０は、ポート部１４０を介して連結された電話機９１の回線をインタフェーシングする。
【００６１】
前記加入者回線インターフェース部１３０は、多数個のＳＬＩＣ、例えばＳＬＩＣ（♯１）１３１及びＳＬＩＣ（♯２）１３２により構成されている。即ち、電話機と接続されたＲＪ−１１に対応する個数のＳＬＩＣを備えることが好ましく、本実施形態ではＲＪ−１１（♯１、♯２）１４１、１４２に対応してＳＬＩＣ（♯１、♯２）１３１、１３２が設けられている。そして、ＳＬＩＣ（♯１）１３１及びＳＬＩＣ（♯２）は、ＲＪ−１１ジャック１４１、１４２を介して各々が連結される電話機９１、９２の回線をインタフェーシングする。
【００６２】
そして、音声処理部１２０は、加入者回線インターフェース部１３０を介して連結される電話機９１、９２からアナログ信号が送られてきた場合には、このアナログ信号をデジタル信号に変換してＤＳＰ処理部１１０に伝送し、また、ＤＳＰ処理部１１０からデジタル信号が送られてきた場合には、このデジタル信号をアナログ信号に変換し、加入者回線インターフェース部１３０を介して電話機９１に伝送する。
【００６３】
また、音声処理部１２０は、電話局８０からＰＳＴＮ７０を介してアナログ信号が送られてきた場合には、このアナログ信号をデジタル信号に変換してＤＳＰ処理部１１０に伝送する。
【００６４】
前記音声処理部１２０は、多数個のＳＬＡＣ、例えばＳＬＡＣ（♯１）１２１及びＳＬＡＣ（♯２）１２２により構成されている。即ち、前記ＲＪ−１１に対応する個数のＳＬＡＣを備えることが好ましく、本実施形態ではＲＪ−１１（♯１、♯２）１４１、１４２に対応してＳＬＡＣ（♯１、♯２）１２１、１２２が設けられている。そして、多数個の ＲＪ−１１１４１、１４２を介して連結される電話機９１、９２と送受信される信号を処理する。
【００６５】
また、第１のスイッチング部１７１及び第２のスイッチング部１７２は、ＤＳＰ処理部１１０から送られてくるスイッチング制御信号に基づいてスイッチをリレーして、ＶｏＩＰモード又はＰＳＴＮモードにモードを設定する。つまり、スイッチング制御信号に基づいて第１のスイッチング部１７１及び第２のスイッチング部１７２の切り換え動作が制御される。
【００６６】
即ち、第１のスイッチング部１７１は、ＤＳＰ処理部１１０から送られてくるスイッチング制御信号に基づいて、スイッチをＡ端子からＢ端子にリレーして音声処理部１２０とＰＳＴＮ回路部１６０とが連結する状態と、スイッチをＢ端子からＡ端子にリレーして音声処理部１２０と加入者回線インターフェース部１３０とが連結する状態とを切り換え可能なように構成されている。
【００６７】
また、第２のスイッチング部１７２は、ＤＳＰ処理部１１０から送られてくるスイッチング制御信号に基づいて、スイッチをＡ端子からＢ端子にリレーして、ＰＳＴＮ７０を介してポート部１４０と電話局８０とが連結する状態と、スイッチをＢ端子からＡ端子にリレーして音声処理部１２０とポート部１４０とが連結する状態とを切り換え可能なように構成されている。
【００６８】
このような第１のスイッチング部１７１及び第２のスイッチング部１７２としては、制御信号によりスイッチをリレーするリレースイッチを選択することができる。
【００６９】
そして、ＰＳＴＮ回路部１６０は、ＰＳＴＮ７０を介して連結される電話局８０から送信されるリングトーン信号を検出してリングトーン検出信号をＤＳＰ処理部１１０に伝送し、ＤＳＰ処理部１１０から伝送されるスイッチング制御信号に従って電話局にリングトーン信号を伝送する。
【００７０】
即ち、ＰＳＴＮ回路部１６０は、ＤＳＰ処理部１１０のスイッチング制御信号に従うトーン信号を生成してＰＳＴＮ７０を介して電話局８０に伝送する。
【００７１】
また、ＰＳＴＮ回路部１６０は、電話機９１と電話局８０とが呼接続された状態において、電話局８０と電話機９１とを連結する電話回線のフック状態を検知し、フックオンであれば通話終了検知信号としてのフックオン検知信号をＤＳＰ処理部１１０に伝送する。
【００７２】
図４は、本実施形態によるＰＳＴＮ回路部の構成を説明するための回路図である。
【００７３】
図４を参照すると、ＰＳＴＮ回路部１６０は、第３のスイッチング部１７３と、整流部１６１と、リングトーン検出部１６２と、多数の抵抗Ｒ１，Ｒ２，Ｒ３と、ダイオードＤ５と、を含む構成である。
【００７４】
前記整流部１６１は、ブリッジダイオードで構成することができ、この場合、ブリッジダイオードは順方向に連結された双ダイオードが並列に連結されて構成されている。即ち、第１のダイオード(Ｄ１)のカソード端子に第２のダイオード(Ｄ２)のアノード端子が連結され、第３のダイオード(Ｄ３)のカソード端子に第４のダイオードのアノード端子が連結され、第１及び第２のダイオード(Ｄ１、Ｄ２)の双ダイオードと、第３及び第４のダイオード(Ｄ３、Ｄ４)の双ダイオードとが並列に連結されている。
【００７５】
そして、整流部１６１は、ＰＳＴＮ７０と連結される電話ラインのフック状態をＰＳＴＮ回路部１６０が検知するように電話局８０からのアナログ信号を電波整流する。即ち、ＰＳＴＮ回路部１６０は、回線状態検出部を構成する。
【００７６】
複数の抵抗(Ｒ１、Ｒ２)は、ＰＳＴＮモードが設定された状態において、ＰＳＴＮ回路部１６０が電話局８０と連結された電話回線のフック状態を検知して、その検知信号をＤＳＰ処理部１１０に伝送するための抵抗である。
【００７７】
即ち、ＰＳＴＮ回路部１６０は、電話機９１と電話局８０との間で呼が接続されたＰＳＴＮモード状態において、電話機９１又は電話局８０が呼を終了して電話回線のフック状態がフックオン状態になったことを検知した場合には、フックオン検知信号を生成してＤＳＰ処理部１１０に伝送する。
【００７８】
そして、リングトーン検出部１６２は、ＶｏＩＰモード状態において、電話局８０から伝送されるリングトーン信号を検出し、リングトーン信号が検出された場合には、リングトーン検出信号をＤＳＰ処理部１１０に伝送する。
【００７９】
このようなリングトーン検出部１６２は、電話局８０と連結される電話回線と直列に連結されたキャパシター(Ｃ１)と、このキャパシター(Ｃ１)の一端にアノード端子が連結される第６のダイオード(Ｄ６)とにより構成することができる。
【００８０】
そして、第３のスイッチング部１７３は、ＤＳＰ処理部１１０から送られてくるスイッチング制御信号に基づいて電話回線をクローズ(close)にして、電話局８０と電話機９１との間で閉ループを形成し、あるいはスイッチング制御信号に基づいて電話回線をオープン(open)／クローズ(close)にして、電話局８０が認識することができる通話要請信号を生成する。
【００８１】
このようなＰＳＴＮ回路部１６０は、第５のダイオード(Ｄ５)のカソード端子がＧＰＩＯ(＃４)１５４と連結されており、第１の抵抗Ｒ１及び第２の抵抗Ｒ２が第５のダイオード(Ｄ５)のアノード端子に夫々直列に連結されて構成されている。
【００８２】
そして、第２の抵抗Ｒ２の一端に第３のスイッチング部１７３の一端が直列に連結され、第３のスイッチング部１７３の一端が整流部１６１の一端側に連結される。
【００８３】
また、第３のスイッチング部１７３の他端は整流部１６１の他端側と直列に連結され、また整流部１６１の他端には第３の抵抗(Ｒ３)が直列連結されている。
【００８４】
そして、整流部１６１の第１の入力端は電話回線のチップラインと連結され、第２の入力端は電話回線のリングラインと連結されている。
【００８５】
さらに、リングトーン検出部１６２のキャパシター(Ｃ１)の一端は、チップラインと直列連結され、当該キャパシター(Ｃ１)の他端は第６のダイオード(Ｄ６)のアノード端子と直列連結されている。
【００８６】
また、第６のダイオード(Ｄ６)のアノード端子は、リングラインと直列連結されている。
【００８７】
一方、ＤＳＰ処理部１１０は、電話機９１から送られてくる信号から規則的な信号(rgularsignal)を抽出してＶｏＩＰ網２０に出力し、また、ＶｏＩＰ網２０から送られてくる信号から規則的な信号を抽出して電話機９１に伝送する。
【００８８】
そして、ＤＳＰ処理部１１０のモード設定部１１１は、入力ポート、即ち、ＧＰＩＯ(＃４)１５４及びＧＰＩＯ(＃５)１５５を介して入力される信号と、電話機９１から送信されるモード変更信号及び要請信号に基づきスイッチング制御信号を生成し、その生成されたスイッチング制御信号を各スイッチング部１７１、１７２に夫々伝送してモードを設定する。
【００８９】
即ち、モード設定部１１１は、ポート部１４０のＲＪ−１１(＃２)１４２を介して電話機９１が当該モード設定部１１１に連結される場合には、電話機９１をＶｏＩＰ網２０と連結させるＶｏＩＰモードを設定するための第１のスイッチング制御信号を生成し、ＧＰＩＯ(＃１)１５１を介して第１のスイッチング部１７１に伝送すると共に、ＧＰＩＯ(＃２)１５２を介して第２スイッチング部１７２に伝送する。
【００９０】
そして、第１のスイッチング部１７１及び第２のスイッチング部１７２は、前記第１のスイッチング制御信号を受信すると、スイッチをＡ端子にリレーして電話機９１とＶｏＩＰ網２０とを連結させる。
【００９１】
また、モード設定部１１１は、ＶｏＩＰモードを設定した状態において、電話機９１からモード選択信号（変更信号）が受信されるか否かを判定し、受信された場合は、ＶｏＩＰモードからＰＳＴＮモードに変更するための第２のスイッチング制御信号を生成して第１及第２のスイッチング部１７１、１７２に夫々伝送する。
【００９２】
そして、第１のスイッチング部１７１及び第２のスイッチング部１７２は、前記第２のスイッチング制御信号を受信すると、スイッチをＡ端子からＢ端子にリレーしてＶｏＩＰモードからＰＳＴＮモードにモードを切り替える。
【００９３】
ここで、電話機９１がＤＳＰ処理部１１０に伝送するモード選択信号は、電話機９１がＶｏＩＰ網２０に接続している際に、ＯＳＳ３０から提供例えばダウンロードされる設定ファイルを用いて定義することができる。
【００９４】
図５は、本実施形態による前記設定ファイル(configuration file)を説明するための図である。
【００９５】
図５に示されるように、電話機９１がＶｏＩＰ網２０に接続すれば、ＯＳＳ３０が提供する設定ファイルの中で確保(reserved)された領域(Ｒ)に、モード選択信号(ａ)と、緊急通話要請信号(ｂ)及び情報要請信号(ｃ)をそれぞれ設定（定義）することができる。
【００９６】
一例として、モード選択信号(ａ)は、「＃」又は「００００」で定義し、緊急通話要請信号(ｂ)は、「１１０」、「１１２」又は「１１３」で定義し、情報要請信号(ｃ)は「１ｘｘ」又は「１１６」で定義することができる。
【００９７】
また、モード設定部１１１は、ＰＳＴＮモードに設定された状態でＰＳＴＮ回路部１６０からフックオン検知信号が送信された場合には、ＰＳＴＮモードからＶｏＩＰモードに変更するための第１のスイッチング制御信号を生成し、これを第１及第２のスイッチング部１７１、１７２に夫々伝送する。
【００９８】
そして、第１及び第２のスイッチング部１７１、１７２は、前記第１のスイッチング制御信号を受信すると、スイッチをＢ端子からＡ端子にリレーしてＰＳＴＮモードからＶｏＩＰモードにモードを切り替える。
【００９９】
一方、モード設定部１１１は、ＶｏＩＰモードに設定された状態でＰＳＴＮ回路部１６０からリングトーン検出信号が送信された場合には、電話機９１とＰＳＴＮ７０とが連結されるＰＳＴＮモードに設定するための第２のスイッチング制御信号を生成し、これを第１及び第２のスイッチング部１７１、１７２に夫々伝送する。そして、第１及び第２のスイッチング部１７１、１７２は、前記第２のスイッチング制御信号を受信すると、スイッチをＡ端子からＢ端子にリレーしてＶｏＩＰモードからＰＳＴＮモードにモードを切り替える。
【０１００】
一方、モード設定部１１１は、ＶｏＩＰモードが設定された状態において電話機９１から緊急通話要請信号又は情報要請信号が送信された場合には、ＰＳＴＮ回路部１６０の第３のスイッチング部１７３に制御信号を伝送して電話局８０と電話機９１が閉ループを形成し、ＰＳＴＮ７０を介して緊急通話要請信号又は情報要請信号による通話要請信号を電話局８０に伝送する。
【０１０１】
このとき、モード設定部１１１は、電話機９１から送られてくる要請信号が機械式信号であるか又は電子式信号であるかを判定し、電子式信号である場合には、ＤＳＰ処理部１１０にて電子式通話要請信号を生成して電話局８０に伝送するようにし、また機械式信号である場合には、前記第３のスイッチング制御信号を第３のスイッチング部１７３に伝送する。即ち、モード設定部１１１は、通話要請信号を生成するためのダイヤル制御信号を伝送する。
【０１０２】
そして、第３のスイッチング部１７３は、モード設定部１１１から送られてくる前記第３のスイッチング制御信号に基づき、詳しくは後述するように、スイッチをオープン／クローズすることにより通話要請信号を生成して電話局８０に伝送する。
【０１０３】
図６は、本実施形態によるＰＳＴＮバックアップを行なう流れを説明するためのフローチャートである。
【０１０４】
図６を参照すると、まず、ＤＳＰ処理部１１０のモード設定部１１１は、ポート部１４０を介して電話機９１と連結された場合、ＶｏＩＰモードを設定するための前記第１のスイッチング制御信号を生成し、ＧＰＩＯ(＃１)１５１及びＧＰＩＯ(＃２)１５２を介して第１及び第２のスイッチング部１７１、１７２に夫々伝送する(ステップＳ１０)。
【０１０５】
次に、第１及び第２のスイッチング部１７１、１７２は、モード設定部１１１からの前記第１のスイッチング制御信号を受信すると、スイッチをＡ端子に接続して電話機９１がＶｏＩＰ網２０と連結されるＶｏＩＰモードを設定する(ステップＳ１１)。
【０１０６】
次に、モード設定部１１１は、ＶｏＩＰモードに設定された状態において、電話機９１からモード選択信号が送られてくるか否かを判定する(ステップＳ１２)。
【０１０７】
即ち、使用者は、ＯＳＳ３０からダウンロードした設定ファイルに定義されているモード選択ボタンに従い、例えば「＃」又は「００００」を選択してモード選択信号を伝送する。そして電話機９１からこのモード選択信号が受信されているか否かを判定する。モード選択信号が受信された場合には、モード設定部１１１は、ＰＳＴＮモードに設定するための前記第２のスイッチング制御信号を生成し、ＧＰＩＯ(＃１)１５１及びＧＰＩＯ(＃２)１５２を介して第１及び第２のスイッチング部１７１、１７２に夫々伝送する(ステップＳ１３)。
【０１０８】
次に、第１及び第２のスイッチング部１７１、１７２は、モード設定部１１１からの第２のスイッチング制御信号を受信すると、スイッチをＡ端子からＢ端子にリレーしてＰＳＴＮモードを設定する(ステップＳ１４)。
【０１０９】
次に、使用者によるモード選択ボタンの選択に従ってモード設定部１１１がＰＳＴＮモードを設定した状態において、電話機９１は使用者の選択による電話番号信号を生成し、ＰＳＴＮ７０を介して電話局８０に伝送する(ステップＳ１５)。
【０１１０】
次に、電話局８０は、電話機９１から送られてきた電話番号信号に従って着信電話端末と電話機９１との間の呼を接続する(ステップＳ１６)。
【０１１１】
一方、モード設定部１１１は、ＰＳＴＮモードが設定された状態において、ＰＳＴＮ回路部１６０からフックオン検知信号が受信されるか否かを確認（検出）する(ステップＳ１７)。
【０１１２】
即ち、ＰＳＴＮ回路部１６０は、モード設定部１１１がＰＳＴＮモードを設定して電話機９１と電話局８０との間に閉ループが形成されている状態において、電話回線のフック状態を検知し、電話機９１又は着信電話端末の電話回線がフックオン状態になると、フックオン検知信号をＧＰＩＯ(＃４)１５４を介してモード設定部１１１に伝送する。
【０１１３】
次に、モード設定部１１１は、前記フックオン検知信号を受信すると、ＰＳＴＮモードからＶｏＩＰモードに変更するための第１のスイッチング制御信号を生成し、ＧＰＩＯ(＃１)１５１及びＧＰＩＯ(＃２)１５２を介して第１及び第２のスイッチング部１７１、１７２に伝送する(ステップＳ１８)。
【０１１４】
次に、第１及び第２のスイッチング部１７１、１７２は、モード設定部１１１からの前記第１のスイッチング制御信号を受信すると、スイッチをＢ端子からＡ端子にリレーしてＰＳＴＮモードからＶｏＩＰモードにモードを切り替える(ステップＳ１９)。
【０１１５】
図７Ａ及び図７Ｂは、本実施形態によるＰＳＴＮバックアップを行なう方法を説明するためのフローチャートである。
【０１１６】
図７Ａ及び図７Ｂを参照すれば、電話機９１がポート部１４０を介して連結された場合、モード設定部１１１は、電話機９１をＶｏＩＰ網２０に連結させるＶｏＩＰモードを設定するための第１のスイッチング制御信号を生成し、ＧＰＩＯ(＃１)１５１及びＧＰＩＯ(＃２)１５２を介して第１及第２のスイッチング部１７１、１７２に夫々伝送する。
【０１１７】
次に、第１及び第２のスイッチング部１７１、１７２は、モード設定部１１１からの前記第１のスイッチング制御信号を受信すると、スイッチをＡ端子に接続してＶｏＩＰモードを設定する(ステップＳ２０)。
【０１１８】
また、モード設定部１１１は、電話機９１が当該モード設定部１１１に連結された状態において、ＰＳＴＮ回路部１６０からリングトーン検出信号又は感知信号が送信されているか否かを周期的に確認する。
【０１１９】
次に、モード設定部１１１は、電話機９１から緊急通話要請信号又は情報要請信号が送信されているか否かを判断する(ステップＳ２１)。
【０１２０】
即ち、モード設定部１１１は、使用者が緊急通話要請ボタンとして例えば「１１０」、「１１２」又は「１１３」を選択するか、又は情報要請ボタンである「１ｘｘ」又は「１１６」を選択することによる緊急通話要請信号又は情報要請信号が電話機９１から送信されているか否かを検出し、送信されている場合には、その緊急通話要請信号又は情報要請信号が機械式信号であるか又は電子式信号であるかを判定する(ステップＳ２２)。
【０１２１】
より詳しくは、モード設定部１１１は、電話機９１から送信される要請信号が受信される時間が、機械式信号が受信される所定時間以内に受信される場合には、この要請信号を機械式信号と判定し、又は要請信号がＤＲＭＦ(dual tone multi frequency)方式の信号である場合には、この要請信号を電子式信号と判定する。
【０１２２】
続いて、モード設定部１１１は、電話回線とＰＳＴＮ回路部１６０との間に閉ループを形成するために、第３のスイッチング制御信号を生成し、これをＰＳＴＮ回路部１６０の第３のスイッチング部１７３に伝送する。
【０１２３】
第３のスイッチング部１７３は、モード設定部１１１から前記第３のスイッチング制御信号を受信すると、スイッチをクローズにしてＰＳＴＮ回路部１６０と電話局８０との間に電話回線を介して閉ループを形成するようにする(ステップＳ２３)。
【０１２４】
次に、モード設定部１１１は、ＰＳＴＮモードを設定するための第２のスイッチング制御信号を生成し、ＧＰＩＯ(＃１)１５１を介して第１のスイッチング部１７１に伝送する(ステップＳ２４)。
【０１２５】
第１のスイッチング部１７１は、モード設定部１１１から前記第２のスイッチング制御信号が送られてくると、スイッチをＡ端子からＢ端子にリレーする。
【０１２６】
次に、モード設定部１１１は、電話機９１から送信される要請信号の方式を判定して(ステップＳ２５)、電子式信号である場合には、電話機９１から送信された要請信号に応じてＤＴＭＦ方式の通話要請信号を生成し、これを音声処理部１２０のＳＬＡＣ(＃２)１２２に伝送する(ステップＳ２６)。
【０１２７】
そして、ＳＬＡＣ(＃２)１２２は、モード設定部１１１から送られてきたＤＴＭＦ方式の通話要請信号をアナログ信号に変換し、第１のスイッチング部１７１を介して電話局８０に伝送する。
【０１２８】
即ち、ＳＬＡＣ(＃２)１２２は、第１のスイッチング部１７１のＢ端子を介してアナログ信号を伝送し、ＰＳＴＮ回路部１６０は、第１のスイッチング部１７１のＢ端子を介して受信される当該アナログ信号を第３のスイッチング部１７３及び整流部１６１を介して電話局８０に伝送する。
【０１２９】
一方、ステップＳ２５において、モード設定部１１１は、電話機９１から送信される要請信号の方式が機械式信号であると判定した場合には、第３のスイッチング部１７３を制御する第３のスイッチング制御信号を電話機９１からの要請信号に応じて生成し、これをＧＰＩＯ(＃３)１５３を介して第３のスイッチング部１７３に伝送する(ステップＳ２７)。
【０１３０】
即ち、モード設定部１１１は、電話機９１から送信された要請信号に応じて機械式の通話要請信号を生成するための、第３のスイッチング制御信号を生成する。
【０１３１】
そして、第３のスイッチング部１７３は、モード設定部１１１から送られてくる前記第３のスイッチング制御信号に基づきスイッチのオープン及びクローズを繰り返し行なうことにより、機械的に通話要請信号を生成し、これにより電話局８０が通話要請信号を検知する。
【０１３２】
次に、モード設定部１１１は、電話機９１から電話局８０に伝送された要請信号の応答として通話要請信号を伝送し、ＰＳＴＮモードを設定するための第２のスイッチング制御信号を生成してＧＰＩＯ(＃２)１５２を介して第２のスイッチング部１７２に伝送する(ステップＳ２８)。
【０１３３】
そして、第２のスイッチング部１７２は、モード設定部１１１から第２のスイッチング制御信号が送られてくると、スイッチをＡ端子からＢ端子にリレーする。
【０１３４】
次に、電話局８０は、ＰＳＴＮ７０を介して伝送される通話要請信号に対応する着信電話端末(図示せず)を識別し、この着信電話端末に通話要請信号を伝送すると共に、当該着信電話端末がこれに応答すれば、電話機９１と着信電話端末との間に呼を連結する(ステップＳ２９)。
【０１３５】
次に、モード設定部１１１は、ＰＳＴＮモードを設定してＰＳＴＮ回路部１６０からフックオン検知信号が送信されているか否かを検出する(ステップＳ３０)。
【０１３６】
即ち、ＰＳＴＮ回路部１６０は、ＰＳＴＮモードが設定されている場合に、電話回線のフック状態を検知し、フックオン状態になると、フックオン検知信号をＧＰＩＯ(＃４)１５４を介して出力する。
【０１３７】
次に、モード設定部１１１は、ＰＳＴＮ回路部１６０からのフックオン検知信号が受信されると、電話機９１から送信された要請信号が緊急通話要請信号であるか否かを判定する(ステップＳ３１)。
【０１３８】
判定の結果、電話機９１から送信された要請信号が緊急通話要請信号である場合には、モード設定部１１１は、ＰＳＴＮ回路部１６０から伝送されるフックオン検知信号が予め決められた所定時間の間に送信されるか否かを判定する(ステップＳ３２)。
【０１３９】
このように、モード設定部１１１がフックオン検出信号が所定時間の間に受信されるか否かを判定する理由は、使用者が電話機９１を介して緊急通話要請を送信し、電話局８０を介して緊急通話をしている最中に、予期せぬ事情によって強制的にフックオン状態になるか否かを確認するためである。
【０１４０】
判定の結果、モード設定部１１１は、フックオン検知信号が所定時間の間に受信されなければ、電話機９１と着信電話端末との間の呼連結状態を維持するフックオン保留を実行する(Ｓ２９)。
【０１４１】
一方、ステップＳ３１における判定の結果、電話機９１から送信される要請信号が緊急通話要請信号ではない場合、通話要請信号が緊急通話要請信号であっても、ステップＳ３２においてフックオン検知信号が所定時間の間に受信された場合には、モード設定部１１１は、ＰＳＴＮ回路部１６０と電話局８０との間に形成された閉ループを解除するために、第３のスイッチング制御信号を生成し、その生成された第３のスイッチング制御信号をＧＰＩＯ(＃３)１５３を介して第３のスイッチング部１７３に伝送する(ステップＳ３３)。
【０１４２】
次に、モード設定部１１１は、ＰＳＴＮモードからＶｏＩＰモードに切り替えるための第１のスイッチング制御信号を生成し、ＧＰＩＯ(＃１)１５１及びＧＰＩＯ(＃２)１５２を介して第１及び第２のスイッチング部１７１、１７２に伝送する(ステップＳ３４)。
【０１４３】
第１及び第２のスイッチング部１７１、１７２は、モード設定部１１１から前記第１のスイッチング制御信号が送られてくると、スイッチをＢ端子からＡ端子にリレーしてＶｏＩＰモードを設定する。
【０１４４】
図８は、他の実施形態によるＰＳＴＮバックアップを行なう方法を説明するためのフローチャートである。
【０１４５】
図８を参照すると、電話機９１がポート部１４０を介して連結された場合、モード設定部１１１は、電話機９１をＶｏＩＰ網２０に連結させるＶｏＩＰモードを設定するための第１のスイッチング制御信号を生成し、ＧＰＩＯ(＃１)１５１及びＧＰＩＯ(＃２)１５２を介して第１及び第２のスイッチング部１７１、１７２に夫々伝送する。第１及び第２のスイッチング部１７１、１７２は、モード設定部１１１から前記第１のスイッチング制御信号が送られてくると、スイッチをＡ端子に接続させてＶｏＩＰモードを設定する(ステップＳ４０)。
【０１４６】
また、モード設定部１１１は、電話機９１が当該モード設定部１１１に連結されると、ＰＳＴＮ回路部１６０からリングトーン検出信号又は感知信号が送信されているか否かを周期的に確認する。
【０１４７】
次に、モード設定部１１１は、ＶｏＩＰモードが設定された状態において、ＰＳＴＮ回路部１６０からリングトーン検出信号が受信されているか否かを確認する(ステップＳ４１)。
【０１４８】
即ち、ＰＳＴＮ回路部１６０のリングトーン検出部１６２は、電話局８０と連結された電話回線を介して電話局８０に送信されたリングトーンを検出して、ＧＰＩＯ(＃５)１５５を介してリングトーン検出信号を出力する。
【０１４９】
そして、モード設定部１１１は、ＧＰＩＯ(＃５)１５５を介してリングトーン検出信号が送信されているか否かを周期的に確認する。
【０１５０】
次に、ＰＳＴＮ回路部１６０がＧＰＩＯ(＃５)１５５を介してリングトーン検出信号を出力すると、モード設定部１１１は、ＰＳＴＮモードを設定するための第２のスイッチング制御信号を生成し、ＧＰＩＯ(＃１)１５１及びＧＰＩＯ(＃２)１５２を介して第１及び第２のスイッチング部１７１、１７２に伝送する(ステップＳ４２)。
【０１５１】
そして、第１及第２のスイッチング部１７１、１７２は、モード設定部１１１から前記第２のスイッチング制御信号が送信されると、スイッチをＡ端子からＢ端子にリレーしてＰＳＴＮモードを設定する。
【０１５２】
なお、モード設定部１１１がＰＳＴＮ回路部１６０からのリングトーン検出信号を確認する周期は、電話局８０から伝送されるリングトーン信号の周期よりも小さい周期に設定することが望ましい。
【０１５３】
即ち、モード設定部１１１がＰＳＴＮ回路部１６０から出力されるリングトーン検出信号を検出してから、ＰＳＴＮモードに設定するための第２のスイッチング制御信号を生成し、さらに第１及び第２のスイッチング部１７１、１７２がＰＳＴＮモードを設定するまでに要する全体時間が、電話局８０から受信するリングトーン信号を電話機９１が正しく判断される時間よりも短くなるように、モード設定部１１１がリングトーン検出信号を確認する周期を設定することが望ましい。
【０１５４】
次に、電話機９１が電話局８０から伝送されるリングトーン信号に応答すると、電話局８０は、電話機９１と発信電話端末(図示せず)との間に呼を連結する(ステップＳ４３)。
【０１５５】
次に、モード設定部１１１は、ＰＳＴＮモードが設定されている場合は、ＰＳＴＮ回路部１６０からフックオン検知信号が受信されるか否かを確認する(ステップＳ４４)。
【０１５６】
即ち、ＰＳＴＮ回路部１６０は、電話機９１と電話局８０との間の電話回線のフック状態を検知して、フックオン状態にとなると、ＧＰＩＯ(＃４)１５４を介してフックオン検知信号を出力する。
【０１５７】
次に、モード設定部１１１は、ＰＳＴＮ回路部１６０からフックオン検知信号が送られてくると、ＶｏＩＰモードを設定するための第１のスイッチング制御信号を生成し、ＧＰＩＯ(＃１)１５１及びＧＰＩＯ(＃２)１５２を介して第１及び第２のスイッチング部１７１、１７２に夫々伝送する(ステップＳ４５)。
【０１５８】
そして、第１及び第２のスイッチング部１７１、１７２は、モード設定部１１１から第１のスイッチング制御信号が送られてくると、スイッチをＢ端子からＡ端子にリレーしてＶｏＩＰモードを設定する。
【０１５９】
以上、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【図面の簡単な説明】
【０１６０】
【図１】ＰＳＴＮバックアップ機能を備えたＶｏＩＰ網の一般的な構成を説明するための全体ブロック図である。
【図２】上記ＶｏＩＰ網においてＶｏＩＰ端末がＰＳＴＮバックアップを行なう方法を説明するための図である。
【図３】本発明の好ましい実施形態による自動ＰＳＴＮバックアップ機能を備えた装置の構成を説明するための図である。
【図４】本発明の好ましい実施形態によるＰＳＴＮ回路部の構成を説明するための回路図である。
【図５】本発明の好ましい実施形態による設定ファイルを説明するための図である。
【図６】本発明の好ましい実施形態によるＰＳＴＮバックアップ機能を行なう流れを説明するためのフローチャートである。
【図７Ａ】本発明の他の実施形態によるＰＳＴＮバックアップを行なう方法を説明するためのフローチャートである。
【図７Ｂ】本発明の他の実施形態によるＰＳＴＮバックアップ機能を提供する方法を説明するためのフローチャートである。
【図８】本発明の他の実施形態によるＰＳＴＮバックアップ機能を行なう方法を説明するためのフローチャートである。
【符号の説明】
【０１６１】
１０  コールサーバー
２０  ＶｏＩＰ網
３０  ＯＳＳ
４０  ルータ 
６０  超高速インターネット加入者装置
７０  ＰＳＴＮ
８０  電話局
９０、１００  ＶｏＩＰ端末
１１０  ＤＳＰ処理部
１１１  モード設定部
１２０  音響処理部
１３０  加入者回線インターフェース部
１４０  ポート部
１５１、１５２、１５３、１５４、１５５  ＧＰＩＯポート 
１６０  ＰＳＴＮ回路部
１６１  整流部 
１６２  リングトーン検出部
１７１、１７２、１７３  スイッチング部
【図１】
2005218120.tif 000003
【図２】
2005218120.tif 000004
【図３】
2005218120.tif 000005
【図４】
2005218120.tif 000006
【図５】
2005218120.tif 000007
【図６】
2005218120.tif 000008
【図７Ａ】
2005218120.tif 000009
【図７Ｂ】
2005218120.tif 000010
【図８】
2005218120.tif 000011